(57)【特許請求の範囲】
【請求項１】
被験者の横隔膜起始部の筋あるいは横隔膜起始部が付く骨組織表面の皮膚表面電位を継時的に測定する電位測定ステップと、
測定電位継時変化である測定波の各周波数の強度とその継時変化を算出する算出ステップと、
を備えた笑い測定方法。
【請求項２】
被験者の横隔膜起始部の筋あるいは横隔膜起始部が付く骨組織表面は、剣状突起近傍である
請求項１に記載の笑い測定方法。
【請求項３】
被験者の横隔膜起始部の筋あるいは横隔膜起始部が付く骨組織表面は、剣状突起より略水平に１０ｃｍほど右に位置する第７肋骨上の部位近傍である
請求項１に記載の笑い測定方法。
【請求項４】
笑いの際に測定される測定波のリファレンスパターンとして、一つの軸を周波数軸、他の軸を時間軸として各周波数の強度パターンをマッピングしたリファレンスパターンを準備する準備ステップと、
算出ステップにて算出された被験者の測定波における各周波数の強度データをサンプリングし、一つの軸を周波数軸、他の軸を時間軸としてサンプリングした被験者強度データをマッピングするマッピングステップと、
マッピングステップにてマッピングされた被験者強度パターンを準備ステップにてあらかじめ準備されたリファレンスパターンと比較する比較ステップと、
比較ステップでの比較結果に応じて笑いを検出したか否かを識別する情報を出力する比較結果出力ステップと、
をさらに有する請求項１から３のいずれか一に記載の笑い測定方法。
【請求項５】
算出ステップでの算出結果に応じて笑いの大きさを示す指標を算出し出力する笑い量出力ステップをさらに有する請求項１から４のいずれか一に記載の笑い測定方法。
【請求項６】
被験者の横隔膜起始部の筋あるいは横隔膜起始部が付く骨組織表面の皮膚表面電位を継時的に測定する電位測定部と、
測定電位継時変化である測定波の各周波数の強度とその継時変化を算出する算出部と、
を備えた笑い測定装置。
【請求項７】
電位測定部は、
被験者の横隔膜起始部の筋あるいは横隔膜起始部が付く骨組織表面の皮膚表面電位として、剣状突起近傍の皮膚表面電位を継時的に測定する剣状突起近傍測定手段を有する
請求項６に記載の笑い測定装置。
【請求項８】
電位測定部は、
被験者の横隔膜起始部の筋あるいは横隔膜起始部が付く骨組織表面の皮膚表面電位として、剣状突起より略水平に１０ｃｍほど右に位置する第７肋骨上の部位近傍の皮膚表面電位を継時的に測定する第７肋骨近傍測定手段を有する
請求項６に記載の笑い測定装置。
【請求項９】
前記電位測定部は筺体に格納され、
筺体の一側面に人の皮膚に密着して電位測定をするための電極を備えた請求項６から８のずれか一に記載の笑い測定装置。
【請求項１０】
笑いの際に測定される測定波のリファレンスパターンとして、一つの軸を周波数軸、他の軸を時間軸として各周波数の強度パターンをマッピングしたリファレンスパターンを保持するリファレンスパターン保持部と、
算出部にて算出された被験者の測定波における各周波数の強度データをサンプリングし、一つの軸を周波数軸、他の軸を時間軸としてサンプリングした被験者強度データをマッピングするマッピング部と、
マッピング部にてマッピングされた被験者強度パターンをリファレンスパターン保持部にて保持されているリファレンスパターンと比較する比較部と、
比較部での比較結果に応じて笑いを検出したか否かを識別する情報を出力する比較結果出力部と、
をさらに有する請求項６から９のいずれか一に記載の笑い測定装置。
【請求項１１】
算出部での算出結果に応じて笑いの大きさを示す指標を算出し出力する笑い量出力部をさらに有する請求項６から１０のいずれか一に記載の笑い測定装置。
【発明の詳細な説明】
【技術分野】
【０００１】
本発明は、被験者の笑いを識別し、その笑いの大きさを定量化する測定方法、及び、測定装置に関する。
【背景技術】
【０００２】
近年、笑いによる医学的効果が注目されており、笑いによる免疫機能の向上などの効果が報告されている。このように、笑いによる優れた効果が報告されている中で、さらに、笑いと医学的効果に関する研究を科学的に行うべく、また、利用者に日常生活における笑いの量を有用情報として提供するべく、笑いを識別、定量化する技術の開発などがなされている。このような技術として、例えば、以下のような発明がなされている。
【０００３】
特許文献１の発明は、被験者の腹部の振動データや、被験者が発した音声データを採取し、当該データから被験者の笑いを計測、定量化するというものである。
【０００４】
また、特許文献２の発明は、被験者の咽頭部より音声データを採取し、当該データから被験者の笑いを計測、定量化するというものである。
【特許文献１】特開２００３−３１９９２６
【特許文献２】特開２００４−２４３０２３
【発明の開示】
【発明が解決しようとする課題】
【０００５】
しかしながら、笑いにより生じる身体的直接運動は「横隔膜の急峻振動」であり、腹部（腹横筋）や咽頭部（咽頭筋群）の振動は副次的運動にすぎない。よって、腹部や咽頭部の振動データなどをもとに笑いを計測、定量化している特許文献１や特許文献２の発明では、「空笑い」や「愛想笑い」といった非本来的笑いも計測してしまう。さらに、「こらえ笑い」などのような表面に出にくい笑いを十分に測定することができないなど、その精度は十分満足できるものではない。
【０００６】
そこで、本発明では、「空笑い」や「愛想笑い」といった非本来的笑いは排除し、本来の「おかしみ」による笑いを定量化する具体的手段を提供することを課題とする。また、「こらえ笑い」のような表面に出にくい笑いなどをも的確に検出し、定量化する具体的手段を提供することを課題とする。
【課題を解決するための手段】
【０００７】
上記課題を解決するための手段として、以下のような発明などを提供する。
【０００８】
「おかしみ」による本来の笑いは、第一次的に横隔膜に投射される。本発明は、横隔膜起始部近傍（すなわち剣状突起と第７〜第１２肋骨、および腰椎部）の皮膚表面電位を継時的に測定し、短時間当たりの電位変動量を各周波数別に算出することで、横隔膜振動の様相を質的量的に解析する手段を提供する。
【０００９】
具体的には、以下の発明を提供する。
【００１０】
第一発明では、被験者の横隔膜起始部の筋あるいは横隔膜起始部が付く骨組織表面の皮膚表面電位を継時的に測定する電位測定ステップと、測定電位継時変化である測定波の各周波数の強度の継時変化を算出する算出ステップを備えた笑い測定方法を提供する。
【００１１】
第二発明では、第一発明を基本とし、さらに、被験者の横隔膜起始部の筋あるいは横隔膜起始部が付く骨組織表面は、剣状突起近傍である笑い測定方法を提供する。
【００１２】
第三発明では、第一発明を基本とし、さらに、被験者の横隔膜起始部の筋あるいは横隔膜起始部が付く骨組織表面は、剣状突起より略水平に１０ｃｍほど右に位置する第７肋骨上の部位近傍である笑い測定方法を提供する。
【００１３】
第四発明では、第一発明から第三発明のいずれか一を基本とし、さらに、笑いの際に測定される測定波のリファレンスパターンとして、一つの軸を周波数軸、他の軸を時間軸として各周波数の強度パターンをマッピングしたリファレンスパターンを準備する準備ステップと、算出ステップにて算出された被験者の測定波における各周波数の強度データをサンプリングし、一つの軸を周波数軸、他の軸を時間軸としてサンプリングした被験者強度データをマッピングするマッピングステップと、マッピングステップにてマッピングされた被験者強度パターンを準備ステップにてあらかじめ準備されたリファレンスパターンと比較する比較ステップと、比較ステップでの比較結果に応じて笑いを検出したか否かを識別する情報を出力する比較結果出力ステップを有する笑い測定方法を提供する。
【００１４】
第五発明では、第一発明から第四発明のいずれか一を基本とし、さらに、算出ステップでの算出結果に応じて笑いの大きさを示す指標を算出し出力する笑い量出力ステップを有する笑い測定方法を提供する。
【００１５】
第六発明では、被験者の横隔膜起始部の筋あるいは横隔膜起始部が付く骨組織表面の皮膚表面電位を継時的に測定する電位測定部と、測定電位継時変化である測定波の各周波数の強度の継時変化を算出する算出部を備えた笑い測定装置を提供する。
【００１６】
第七発明では、第六発明を基本とし、さらに、電位測定部は、被験者の横隔膜起始部の筋あるいは横隔膜起始部が付く骨組織表面の皮膚表面電位として、剣状突起近傍の皮膚表面電位を継時的に測定する剣状突起近傍測定手段を有する笑い測定装置を提供する。
【００１７】
第八発明では、第六発明を基本とし、さらに、電位測定部は、被験者の横隔膜起始部の筋あるいは横隔膜起始部が付く骨組織表面の皮膚表面電位として、剣状突起より略水平に１０ｃｍほど右に位置する第７肋骨上の部位近傍の皮膚表面電位を継時的に測定する第７肋骨近傍測定手段を有する笑い測定装置を提供する。
【００１８】
第九発明では、第六発明から第八発明のいずれか一を基本とし、さらに、前記電位測定部は筺体に格納され、筺体の一側面に人の皮膚に密着して電位測定をするための電極を備えた笑い測定装置を提供する。
【００１９】
第十発明では、第六発明から第九発明のいずれか一を基本とし、さらに、笑いの際に測定される測定波のリファレンスパターンとして、一つの軸を周波数軸、他の軸を時間軸として各周波数の強度パターンをマッピングしたリファレンスパターンを保持するリファレンスパターン保持部と、算出部にて算出された被験者の測定波における各周波数の強度データをサンプリングし、一つの軸を周波数軸、他の軸を時間軸としてサンプリングした被験者強度データをマッピングするマッピング部と、マッピング部にてマッピングされた被験者強度パターンをリファレンスパターン保持部にて保持されているリファレンスパターンと比較する比較部と、比較部での比較結果に応じて笑いを検出したか否かを識別する情報を出力する比較結果出力部を有する笑い測定装置を提供する。
【００２０】
第十一発明では、第六発明から第十発明のいずれか一を基本とし、さらに、算出部での算出結果に応じて笑いの大きさを示す指標を算出し出力する笑い量出力部を有する笑い測定装置を提供する。
【発明の効果】
【００２１】
本発明の笑い測定方法及び装置により、「空笑い」や「愛想笑い」を除いた本来の「おかしみ」による笑いのみを検出・定量化できる。また、「こらえ笑い」のような表面に出にくい笑いなどをも的確に検出できる。また、検出した笑いの大きさを比較データとして利用可能に定量化することが可能となる。その結果、心からの笑いが心身に及ぼす医学的効果に関する研究を科学的に行うことが可能となる。
【００２２】
また、検出した笑いの大きさを他の笑いの大きさと比較可能に定量化することができるので、被験者の健康バロメータのための器具として利用できるほか、お笑いコンテストなどにおいて客観的評価（審査結果）を提供することも可能となる。
【発明を実施するための最良の形態】
【００２３】
以下本発明を実施するための最良の形態について、図面を用いて詳細に説明する。なお、本発明はこれら実施の形態になんら限定されるものではなく、その要旨を逸脱しない範囲において種々なる態様で実施しうる。
【００２４】
なお、以下の実施形態と請求項の関係は次のとおりである。実施形態１は主として請求項１、２、３、６、７、８などについて説明する。実施形態２は主として請求項４、１０などについて説明する。実施形態３は主として請求項５、１１などについて説明する。実施形態４は主として請求項９などについて説明する。
<<実施形態１>>
<実施形態１の概要>
【００２５】
本実施形態の笑い測定方法、及び、笑い測定装置は、横隔膜の振動運動に関するデータを的確に検出し、定量化することができることを特徴とする。具体的手段としては、横隔膜の振動運動に関するデータとして、横隔膜起始部の筋あるいは横隔膜起始部が付く骨組織表面の皮膚表面電位（例：被験者の「剣状突起近傍」、「剣状突起より略水平に１０ｃｍほど右に位置する第７肋骨上の部位近傍」などの皮膚表面電位）の継時変化を測定する。そして、電位測定波の各周波数の強度の継時変化を積分演算などにより算出することを特徴とする。
<実施形態１の機能的構成>
【００２６】
本実施形態の笑い測定装置の機能ブロックの一例を図２に示す。図２に示すように、本実施形態の笑い測定装置は、「電位測定部」（０２０１）と、「算出部」（０２０２）を有する。なお、「電位測定部」（０２０１）は、「剣状突起近傍測定手段」、「第７肋骨近傍測定手段」のいずれか一以上を有してもよい。
【００２７】
また、本実施形態の笑い測定方法は、「電位測定ステップ」と、「算出ステップ」を有する。なお、本実施形態の笑い測定方法は、本実施形態の笑い測定装置などにより実現できる。以下、笑い測定装置の詳細について説明する。
【００２８】
ここで、本装置の機能ブロックは、ハードウェア、ソフトウェア、またはハードウェア及びソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００２９】
またこれらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記憶媒体に固定した記憶媒体も、当然にこの発明の技術的な範囲に含まれる（本明細書の全体を通じて同様である）。
【００３０】
「電位測定部」（０２０１）は、被験者の横隔膜起始部の筋あるいは横隔膜起始部が付く骨組織表面の皮膚表面電位を継時的に測定するよう構成されている。「横隔膜起始部」とは、横隔膜の始まり部分をさし、横隔膜起始部は、「胸骨の剣状突起」、「第７〜１２肋軟骨の内面（肋骨弓）」、「第１〜３腰椎体」、に付していることが知られている。すなわち、電位測定部（０２０１）は、これら（「胸骨の剣状突起」、「第７〜１２肋軟骨の内面（肋骨弓）」、「第１〜３腰椎体」）の近傍の皮膚表面電位を測定するよう構成されている。
【００３１】
「電位測定部」（０２０１）の「剣状突起近傍測定手段」は、被験者の横隔膜起始部の筋あるいは横隔膜起始部が付く骨組織表面の皮膚表面電位として、剣状突起近傍の皮膚表面電位を継時的に測定するよう構成されている。また、「電位測定部」（０２０２）の「第７肋骨近傍測定手段」は、被験者の横隔膜起始部の筋あるいは横隔膜起始部が付く骨組織表面の皮膚表面電位として、剣状突起より略水平に１０ｃｍほど右に位置する第７肋骨上の部位近傍（以下、「第７右肋骨上近傍」という。）の皮膚表面電位を継時的に測定するよう構成されている。
【００３２】
「剣状突起」（０１０１）とは、図１に示すように、みぞおち付近に存する胸骨の一種であり、前記の通り、横隔膜（０１０２）の起始が付いている。よって、剣状突起近傍の皮膚表面電位を測定することで、横隔膜の振動運動を的確に検出することができる。また、「第７右肋骨上近傍」とは、図１中、点線丸（０１０３）で示した近傍であり、前記の通り、第７右肋骨近傍の筋には横隔膜が付着している。よって、第７右肋骨上近傍の皮膚表面電位を測定することで、横隔膜の振動運動を的確に検出することができる。
【００３３】
なお、「電位測定部」（０２０１）が、被験者の横隔膜起始部の筋あるいは横隔膜起始部が付く骨組織表面の皮膚表面電位を継時的に測定する目的は、横隔膜の振動運動を的確に検出するためである。よって、横隔膜の振動運動を的確に検出可能であれば、皮膚表面電位を測定する部位としては、被験者の横隔膜起始部の筋あるいは横隔膜起始部が付く骨組織表面に限定されない。例えば、横隔膜を支配する横隔神経が通っている首などの皮膚表面電位を測定してもよい。当該前提は、以下のすべての実施形態において同様である。
【００３４】
ここで、被験者の横隔膜起始部の筋あるいは横隔膜起始部が付く骨組織表面（「剣状突起近傍」、「第７右肋骨上近傍」など）の皮膚表面電位の継時変化を測定する手段としては、例えば、従来技術である表面筋電図検査などと同様の手段が利用できる。具体的には、２つの電極を約３ｃｍ間隔で被験者の横隔膜起始部の筋あるいは横隔膜起始部が付く骨組織表面（「剣状突起近傍」、「第７右肋骨上近傍」など）の皮膚表面に装着し筋活動電位を測定する。２つの電極を装着するのは、２つの電極の電圧差を測定するためである。測定条件などについても従来技術（表面筋電図検査）と同様のもので実現できる。例えば、測定の感度としては、数μＶ〜数十ｍＶ程度で測定可能である。また、その精度としては、毎秒３０００回のデータを採取するようなものでよい（当該数値は、笑い測定装置の利用目的に応じて変更可能。当該前提は、以下のすべての実施形態において同様である。）なお、剣状突起は、皮膚表面から触手で容易に見つけることが可能である。そこを起点に、第７右肋骨上近傍も容易に見つけることができる。図３に、２つの電極（０３０１）を被験者の剣状突起近傍の皮膚表面に装着した様子を示す。また、第７右肋骨上近傍を点線丸（０３０２）で示す。図４に、電位測定部（０２０１）が測定した電位測定波の一例を示す。当該図は、横軸が時間で、縦軸が電圧である。
【００３５】
「算出部」（０２０２）は、測定電位継時変化である測定波の各周波数の強度とその継時変化を算出するよう構成されている。「測定電位継時変化である測定波」とは、前記電位測定部（０２０１）が被験者の横隔膜起始部の筋あるいは横隔膜起始部が付く骨組織表面（「剣状突起近傍」、「第７右肋骨上近傍」など）の皮膚表面から一定時間測定した電位測定波であり、図４で示した波形などが該当する。「測定波の各周波数の強度とその継時変化」を算出する具体的手段としては、まず、得られた電位測定波を、ウェーブレット変換、または、短時間フーリエ変換などにより、周波数解析する。そして、周波数ごとに積分演算することで「各周波数の強度とその継時変化」を求めることができる。当該データは、以下の実施形態２で説明する発明などにおいて利用可能である。
【００３６】
また、前記結果に加算処理を行うことで「すべての周波数の強度総量とその継時変化（測定波の強度の継時変化）」を求めることができる。ここで、電位測定波は、被験者の横隔膜起始部の筋あるいは横隔膜起始部が付く骨組織表面（「剣状突起近傍」、「第７右肋骨上近傍」など）の皮膚表面から測定した横隔膜の振動運動に起因するものである。すなわち、「すべての周波数の強度総量の継時変化（測定波の強度の継時変化）」は、横隔膜の振動運動の大きさの継時変化を定量化したものである。
【００３７】
図５に、電位測定波の周波数解析行っている様子を示す画面の一例を示す。画面上側（０５０１）が、被験者の横隔膜起始部の筋あるいは横隔膜起始部が付く骨組織表面（「剣状突起近傍」、「第７右肋骨上近傍」など）の皮膚表面から測定した電位測定波の波形である。横軸が時間、縦軸が電圧である。画面下側（０５０２）が、画面上側（０５０１）の電位測定波の中で、斜線部分（０５０３）で特定される時間領域の電位測定波について周波数解析および積分演算を行った結果を示すグラフである。横軸が周波数、縦軸が強度を示す。なお、当該画面は演算結果を示す画面の一例であり、本実施形態の笑い測定方法および装置はこれに限定されるものではない。
【００３８】
ここで、図２においては、「電位測定部」（０２０１）と「算出部」（０２０２）は、一つの装置内に存するように記載している。これは、被験者に装着する電極等から構成される「電位測定部」（０２０１）は、コードなどにより「算出部」（０２０２）が存する笑い測定装置本体と常時繋がっており、被験者から取得した電位測定波はコードなどを介してリアルタイムで笑い測定装置本体に存する「算出部」（０２０２）に送られる形態を想定している。
【００３９】
しかし、本実施形態の笑い測定装置は、図２に示すような形態に制限されるものではなく、例えば、「電位測定部」（０２０１）と「算出部」（０２０２）はコードなどにより常時繋がるよう構成されず、別々の装置で分離した状態に構成されてもよい。そして、それら別々の装置を組み合わせて使用することで一つの笑い測定装置を構成してもよい。かかる場合、「電位測定部」（０２０１）は、被験者から取得した電位測定波を保存できるよう構成されてもよい。そして、保存した電位測定波は、ＵＳＢ通信、赤外線通信、Ｂｌｕｅｔｏｏｔｈ通信などにより、「算出部」を構成する装置に送信されるよう構成されてもよい。当該通信は、リアルタイム処理、バッチ処理いずれでなされてもよい。なお、このような構成については、以下の実施形態４で詳細を説明する。
【００４０】
なお、前記は、被験者の横隔膜起始部の筋あるいは横隔膜起始部が付く骨組織表面（「剣状突起近傍」、「第７右肋骨上近傍」など）の皮膚表面の電位波を測定することで、横隔膜の振動運動に関するデータを取得することを実現しているが、その他、横隔神経のインパルスを測定することで横隔膜の振動運動に関するデータを取得してもよい。またＸ線、エコー、ＳＵＱＩＤなどの電磁気学的、音響学的装置によって横隔膜の振動運動に関するデータを取得してもよい。
<実施形態１の効果>
【００４１】
本実施形態の笑い測定方法、及び、測定装置により、横隔膜の振動運動を的確に検出し、その強度の継時変化を有用な比較データとして算出することが可能となる。その結果、横隔膜の振動運動に起因する様々な現象を科学的に研究することが可能となる。具体的には、以下の実施形態で説明するように、笑いを的確に識別し、その笑いの大きさを、有用な比較データとして算出することなどが可能となる。
<<実施形態２>>
<実施形態２の概要>
【００４２】
本実施形態の笑い測定方法、及び、笑い測定装置は、実施形態１を基本とし、さらに、あらかじめ笑いに関するリファレンスデータ（時間、周波数、強度に関するデータ）を保持しておく。そして、被験者から取得した電位測定波に対して演算処理など所定の処理を行った後、前記リファレンスデータと比較する。この様にして、被験者から取得した電位測定波から笑いを検出することを特徴とする。
<実施形態２の機能的構成>
【００４３】
本実施形態の笑い測定装置の機能ブロックの一例を図６に示す。図６に示すように、本実施形態の笑い測定装置は、「電位測定部」（０６０１）と、「算出部」（０６０２）と、「リファレンスパターン保持部」（０６０３）と、「マッピング部」（０６０４）と、「比較部」（０６０５）と、「比較結果出力部」（０６０６）を有する。
【００４４】
また、本実施形態の笑い測定方法は、「電位測定ステップ」と、「算出ステップ」と、「準備ステップ」と、「マッピングステップ」と、「比較ステップ」と、「比較結果出力ステップ」を有する。
【００４５】
本実施形態の笑い測定方法は、本実施形態の笑い測定装置などにより実現できる。以下、笑い測定装置の詳細について説明する。
【００４６】
「リファレンスパターン保持部」（０６０３）は、笑いの際に測定される測定波のリファレンスパターンとして、一つの軸を周波数軸、他の軸を時間軸として各周波数の強度パターンをマッピングしたリファレンスパターンを保持するよう構成されている。ここで、笑いの際に測定される測定波の「リファレンスパターン」とは、笑いが生じた際に被験者の横隔膜起始部の筋あるいは横隔膜起始部が付く骨組織表面（「剣状突起近傍」、「第７右肋骨上近傍」など）の皮膚表面から測定される電位測定波の、各周波数の強度の継時変化を示す典型的パターンである。その決定手段としては、例えば、実際に多数の人間から多量のサンプルデータを測定し、最小２乗法などを用いて決定してもよい。参考までに、「リファレンスパターン保持部」（０６０３）が保持するリファレンスパターンの一例を図７（ａ）に示す。図７（ａ）は、吹き出し笑いのリファレンスパターンの一例を示すグラフである。当該グラフは、縦軸を周波数軸、横軸を時間軸として、各周波数の強度の継時変化を色の濃淡により識別可能に表示したものである。具体的には、図中、低い周波数から高い周波数に向かって縦長に伸びている複数の模様により各周波数の強度の継時変化を示している。模様の一番内側に存する濃い色（０７０１）が、一番強い強度を示しており、そこから模様の外側に向かって強度が弱くなっている。なお、図は塗りつぶしの濃淡により強度を識別可能に表示しているが、色の種類により、強度を識別可能に表示してもよい。
【００４７】
なお、「リファレンスパターン保持部」（０６０３）は、笑いのリファレンスパターンを１つのみ保持してもよいし、世代別（例：１０代、２０代、３０代、など）、性別（例：男、女）、体格別（例：やせ、普通、太、など）など、カテゴリーごとに複数のリファレンスパターンを保持してもよい。
【００４８】
ここで、「リファレンスパターン保持部」（０６０３）は、「準備ステップ」により前記のようなリファレンスパターンの保持を実現することができる。具体的には、準備ステップにより、あらかじめ装置の出荷段階から装置内にリファレンスパターンを記憶させておいてもよい。そして、商品出荷後、通信などにより新たなリファレンスパターンを取得し、更新できるようにしてもよい。更新できるように構成する理由としては、前記の通り、リファレンスパターンは、実際に多量のサンプルデータを取得し、解析することで決定してもよい。かかる場合、時間の経過に伴い、取得するサンプルの数は増加し、リファレンスパターンが変更する可能性があるからである。
【００４９】
「マッピング部」（０６０４）は、算出部（０６０２）にて算出された被験者の電位測定波における各周波数の強度の継時変化を示す強度データ（以下、「被験者強度データ」という。）をサンプリングする。そして、一つの軸を周波数軸、他の軸を時間軸としてサンプリングした被験者強度データをマッピングするよう構成されている。図７（ｂ）〜図７（ｈ）にマッピング部が被験者強度データをマッピングした一例を示す。図中、上側の「波形データ」は、被験者から測定した電測定波（横軸：時間、縦軸：電圧）を示している。そして、下側の「ソナグラフ」が、被験者強度データ（横軸：時間、縦軸：電圧）をマッピングした様子を示している。図７（ｂ）は「吹き出し笑い」、図７（ｃ）は「ビックリ笑い（驚きの後に笑い）」、図７（ｄ）は「大笑い」、図７（ｅ）は「泣き（被験者：赤ちゃん）」、図７（ｆ）は「くしゃみ」、図７（ｇ）は「咳」、図７（ｈ）は「平常時（心拍に起因するデータ）」に測定される被験者強度データをマッピングしたものである。
【００５０】
マッピング部（０６０４）の前記マッピングは、被験者の測定波における各周波数の強度の継時変化を容易に把握可能にするためのものである。そして、マッピングの手法は、図７（ａ）のリファレンスパターンと同様のものである。（以下、被験者強度データをマッピングしたものを、「被験者強度パターン」という。）
【００５１】
「比較部」（０６０５）は、マッピング部（０６０４）にてマッピングされた被験者強度パターンをリファレンスパターン保持部（０６０３）にて保持されているリファレンスパターンと比較するよう構成されている。前記比較は、リファレンスパターン保持部（０６０３）が、世代別などカテゴリーごとの笑いのリファレンスパターンを保持している場合には、被験者の該当するカテゴリーのリファレンスパターンのみと比較してもよい。比較の具体的手段としては、「パターン認識」を利用することができる。なお、パターン認識のいずれの手法を用いるかは特段制限されない。しかし、笑いが生じた際に測定される電位測定波は、強度が強く表れる周波数帯とその継時変化（繰返し回数）などに特徴点を有することを本発明の発明者は発見している。よって、本実施形態の笑い測定方法、および、笑い測定装置においては、前記特徴点（各周波数の強度の継時変化）などを特に利用してパターン認識を行うことが望まれる。このようにすることで、より正確に被験者の笑いを検出することができる。なお、比較は、図７（ａ）で示す横軸（時間軸）の１マス（５００ｍｓｅｃ）分のデータを１単位として行うことができる。しかし、より正確に比較するには、４マス（２ｓｅｃ）〜１２マス（６ｓｅｃ）分程度のデータを１単位として比較するのが望ましい。
【００５２】
ここで、横隔膜の振動運動は、笑い以外の要因（例：「咳」、「くしゃみ」、「しゃっくり」など）によっても起こる。よって、笑いを的確に特定するために、リファレンスパターン保持部（０６０３）は、笑い以外のリファレンスデータ（例：「咳」、「くしゃみ」、「しゃっくり」など）をも保持しておき、比較部（０６０５）は、被験者強度パターンを笑い以外のリファレンスデータとも比較するよう構成されてもよい。
【００５３】
比較部（０６０５）での比較結果は、笑いを「検出」したか「未検出」か、を識別するものでもよい。または、前記のように、笑い以外のリファレンスパターンをも利用して比較する場合には、被験者強度パターンと最も類似しているリファレンスパターンを特定するものでもよい。
【００５４】
なお、比較結果は、比較を行う１単位（例：「５００ｍｓｅｃ」、「６ｓｅｃ」）ごとに出すことができる。すなわち、時間軸（横軸）の１マス分（５００ｍｓｅｃ）のパターンを１単位として比較するよう設定した場合は、１マス（５００ｍｓｅｃ）ごとに比較し、結果がでることとなる。
【００５５】
以下、図７（ａ）に示す笑いのリファレンスパターンを利用して、その特徴点を説明する。また、図７（ｅ）〜（ｈ）に示す笑い反応以外のデータとの相違点を説明する。なお、前記の通り、リファレンスパターンは、今後のさらなる解析により変化する可能性がある。よって、ここで示すものはあくまで例示であり、本実施形態の笑い測定方法、および、笑い測定装置を実行するにあたって、比較部（０６０５）での比較処理は以下で示すリファレンスパターンと完全に一致するものにより行わなければならないというものではない。
【００５６】
図７（ａ）に、笑反応（吹き出し笑い、成人）のリファレンスパターンの一例を示す。図中、時間軸（横軸）は、１マス＝５００ｍｓｅｃである。縦軸は周波数軸であり、左側にその数値を示す。左から３マス目から５マス目（１０００〜２５００ｍｓｅｃ）に示されている５０〜２００Ｈｚ付近に見られる色の濃い縦長模様の塊が笑いに特有のパターンである。この複数の縦長模様は、「はっはっは」という笑いの発生に対応して一つ一つのブロック状の塊を形成している。笑いに対応したブロック状の塊は、３〜７回／ｓｅｃの周期で現れる。なお、図中、０〜５０Ｈｚ付近に見られる色の濃いブロック状の塊は、心拍に起因するものである。
【００５７】
図７（ｆ）は、くしゃみ反応（成人）の測定データパターンである。図中、二つの縦長模様がくしゃみに特有のパターンである。「はくしょん」というくしゃみの発生に対応して一つ一つのブロック状の塊を形成している。くしゃみ反応に特有のブロック状の塊は、単発であったり、比較的長い時間間隔の後に次のブロック状の塊が現れたりする。よって、笑い反応のように、３〜７回／ｓｅｃの周期で反応が見られるようなことはない。
【００５８】
図７（ｇ）は、咳反応（成人）の測定データパターンである。図中、二つの縦長模様がくしゃみに特有のパターンである。「ゴホン」という咳の発生に対応して一つ一つのブロック状の塊を形成している。咳反応に特有のブロック状の塊は、単発であったり、比較的長い時間間隔の後に次のブロック状の塊が現れたりする。その時間間隔は、くしゃみ反応よりは短いものの、笑い反応よりは長いものである。図からも分かるように、咳反応は、笑い反応のように３〜７回／ｓｅｃの周期で反応が見られるようなことはない。
【００５９】
なお、図７（ｅ）、（ｈ）、に示す笑い反応以外のデータにおいても、明らかに笑い反応に特有のパターンは見られない。
【００６０】
「比較結果出力部」（０６０６）は、比較部での比較結果に応じて、笑いを検出したか否かを識別する情報を出力するよう構成されている。すなわち、比較部での結果が、笑いを「検出」したか「未検出」か、を識別するようなものであった場合には、「検出」との結果を取得すると、その結果に応じて、笑いを検出したことを識別する情報を出力する。また、比較部での結果が、被験者強度パターンと最も類似しているリファレンスパターンを特定するようなものであった場合には、特定されたリファレンスパターンが「笑いのリファレンスパターン」であるとの結果を取得すると、その結果に応じて、笑いを検出したことを識別する情報を出力する。「笑いを検出したことを識別する情報」としては特段制限されず、例えば、「笑」、「笑いあり」、などのように文字情報でもよいし、または、各笑いを識別可能な絵（顔絵、全身絵など）などで出力してもよい。なお、比較結果出力部（０６０６）は、笑いを検出したことを識別する情報と併せて、算出部（０６０２）が算出した測定波の強度（単位時間内における各周波数の強度の総量）を「笑いの強度」として出力してもよい。
【００６１】
ここで、「算出部」（０６０２）、「マッピング部」（０６０４）、「比較部」（０６０５）による前記説明した処理は、被験者から測定した測定波の中から、２０〜５０Ｈｚ以下の周波数のデータを取り除いて行ってもよい。当該目的は、心拍による横隔膜の振動運動成分を取り除くことにある。図７（ｈ）に、笑いなどの刺激が一切ない状態、すなわち、心拍のみに起因する横隔膜の振動運動に関する測定電位波（図中、上側）、および、それを周波数解析し、一つの軸を周波数軸、他の軸を時間軸としてマッピングした様子（図中、下側）を示す。
【００６２】
図に示すように、心拍により、大体５０Ｈｚ以下の横隔膜の振動運動成分が検出されることがわかる。なお、２０〜５０Ｈｚ以下と幅があるのは、当該数値は被験者の性別、体格、年齢などにより多少の差異があるからである。このように、心拍による横隔膜の振動運動成分を取り除くことで、笑いの大きさを的確に定量化できるほか、リファレンスパターンとの比較もより精度高く行うことができる。当然に、かかる場合のリファレンスパターンは、２０〜５０Ｈｚ以下の周波数のデータを取り除いたものである。
<実施形態２のハードウェア構成>
【００６３】
図８は、上記機能的構成をハードウェアとして実現した際の構成の一例を表す図である。図に示すように、本携帯端末装置は、「電位測定部」、「算出部」、「リファレンスパターン保持部」、「マッピング部」、「比較部」、「比較結果出力部」、などを構成する「ＣＰＵ」（０８０１）、「ＲＡＭ」（０８０２）、「不揮発性メモリ」（０８０３）、「外部機器Ｉ／Ｆ」（０８０４）、「ディスプレイ」（０８０５）、「測定部」（０８０６）、「バス」（０８０７）などを備えている。
【００６４】
以下に、図８のハードウェア図を用いて、本実施形態を実現する手段の一例を説明する。
【００６５】
ＣＰＵ（０８０１）は、ＲＡＭ（０８０２）に展開された笑い測定プログラムの命令に従い、演算処理したり、または、外部機器Ｉ／Ｆ（０８０４）、ディスプレイ（０８０５）、測定部（０８０６）などを制御処理したりする。まず、ＣＰＵ（０８０１）は、笑い測定プログラムの被験者電位測定波取得命令に従い、被験者電位測定波を取得するよう測定部（０８０６）、または、外部機器Ｉ／Ｆ（０８０４）を制御する。測定部（０８０６）は、コードに接続された電極などから構成される。そして、電極が被験者の横隔膜起始部の筋あるいは横隔膜起始部が付く骨組織表面（「剣状突起近傍」、「第７右肋骨上近傍」など）の皮膚表面に装着されると、リアルタイムで電位測定波を取得することができる。一方、外部機器Ｉ／Ｆ（０８０４）は、あらかじめ被験者の横隔膜起始部の筋あるいは横隔膜起始部が付く骨組織表面（「剣状突起近傍」、「第７右肋骨上近傍」など）の皮膚表面から取得した電位測定波を保存している簡易測定装置とＵＳＢ接続などし、保存している電位測定波をまとめて取得することができる。取得した被験者電位測定波データは、ＲＡＭ（０８０２）に格納される。
【００６６】
次に、ＣＰＵ（０８０１）は、笑い測定プログラムの周波数解析命令に従い、周波数解析プログラムを取り出すと、当該プログラムに従い演算処理し、結果を周波数解析データとしてＲＡＭ（０８０２）に格納する。その後、笑い測定プログラムの積分演算命令に従い、ＣＰＵ（０８０１）は、ＲＡＭ（０８０２）に格納された周波数解析データを積分演算し、結果を被験者強度データとしてＲＡＭ（０８０２）に格納する。そして、笑い測定プログラムのマッピング命令に従い、不揮発性メモリ（０８０３）よりマッピング表データを取り出すと、そこに被験者強度データをマッピングし、被験者強度パターンとしてＲＡＭ（０８０２）に格納する。
【００６７】
その後、ＣＰＵ（０８０１）は、笑い測定プログラムの比較命令に従い、リファレンスパターンデータを不揮発性メモリ（０８０３）より取り出すと、パターン認識プログラムを取り出し、当該プログラムに従って、被験者強度パターンとリファレンスパターンを比較演算し、比較結果をＲＡＭ（０８０２）に保存する。
【００６８】
そして、比較結果が「笑い検出」であった場合には、ＣＰＵ（０８０１）は、笑い測定プログラムの比較結果出力命令に従い、笑いを検出したことを識別する情報を不揮発性メモリ（０８０３）より取り出すと、ディスプレイ（０８０５）を制御して当該情報を表示する。
<実施形態２の処理の流れ>
【００６９】
本実施形態の処理の流れの一例を図９のフローチャートに示す。以下は、心拍による横隔膜の振動運動成分を２０Ｈｚ以下と定め、当該成分を取り除いた場合の処理の一例である。
【００７０】
まず、被験者の横隔膜起始部の筋あるいは横隔膜起始部が付く骨組織表面（「剣状突起近傍」、「第７右肋骨上近傍」など）の皮膚表面電位の継時変化を測定する（Ｓ０９０１）。そして、測定した電位測定波から２０Ｈｚ未満の周波数を取り除いた後（Ｓ０９０２）、周波数解析し、その結果を積分演算する（Ｓ０９０３）。
【００７１】
その後、積分演算の結果をマッピングし（Ｓ０９０４）、リファレンスパターンと比較する（Ｓ０９０５）。
【００７２】
そして、比較の結果、笑いを検出した場合には（Ｓ０９０６）、笑いを検出したことを識別する情報を出力する（Ｓ０９０７）。その後、測定を終了するまで（Ｓ０９０８）、前記処理（Ｓ０９０１〜Ｓ０９０７）を繰り返す。
<実施形態２の効果>
【００７３】
本実施形態の笑い測定方法、及び、測定装置により、被験者の笑いを的確に認識することが可能となる。また、その笑いの大きさをも測定することができる。
【００７４】
その結果、笑いや笑いの大きさが人間に及ぼす影響を科学的に研究できるほか、お笑いイベントなどで観客の笑いを的確に定量化し、面白いか否かの客観的情報を提供することも可能となる。さらに、日々の生活における被験者の笑いの量なども把握することが可能となる。
<<実施形態３>>
<実施形態３の概要>
【００７５】
本実施形態の笑い測定方法、及び、笑い測定装置は、実施形態１または２を基本とし、さらに、積分演算により算出した横隔膜振動運動の大きさを、笑いの大きさを示す情報として被験者に理解しやすい形に変換し提供することを特徴とする。
<実施形態３の機能的構成>
【００７６】
本実施形態の笑い測定装置の機能ブロックの一例を図１０に示す。図１０に示すように、本実施形態の笑い測定装置は、「電位測定部」（１００１）と、「算出部」（１００２）と、「笑い量出力部」（１００７）を有する。また、本実施形態の笑い測定方法は、「電位測定ステップ」と、「算出ステップ」と、「笑い量出力ステップ」を有する。なお、本実施形態の笑い測定方法は、本実施形態の笑い測定装置などにより実現できる。以下、笑い測定装置の詳細について説明する。
【００７７】
「笑い量出力部」（１００７）は、算出部（１００２）での算出結果の大きさに応じて笑いの大きさを示す指標を算出し、出力するよう構成されている。ここでの算出部（１００２）での算出結果とは、測定波における「単位時間内の各周波数の強度総量」であり、これは、「単位時間内の横隔膜の振動運動の大きさ」を示すものである。よって、笑いを検出した際の算出部での算出結果は、「単位時間内の笑いの大きさ」を示すものと考えることができる。ここで、「単位時間」とは利用者が設定可能な任意の時間である。例えば、笑い測定装置が実施形態２で説明した比較部を有する場合には、比較部が比較を行う一単位の時間（例：「５００ｍｓｅｃ」、「６ｓｅｃ」）と同じにしてもよい。または、総測定時間（例：「３０分」、「１時間」）を単位時間として設定してもよい。
【００７８】
ここで、前記算出部（１００２）の算出結果は、単位を持たない数値である。よって、当該数値をそのまま笑いの大きさとして被験者に提供しても、その数値がいかほどのものなのか見当がつきにくい。そこで、笑い量出力部（１００７）は、算出部（１００２）の算出結果を、笑いの大きさとして被験者が理解しやすい指標に算出し、出力するよう構成されている。具体的算出手段としては、例えば、一般的な人間の笑いにより算出される「単位時間内の各周波数の強度総量」を基準値として、あらかじめ保持しておく。そして、前記基準値を「１００」として、「被験者の単位時間内における各周波数の強度総量」の相対的大きさを算出してもよい。また、算出結果を出力する際は、前記算出結果を数値のみで提供するのでなく、親しみやすいように、何らかの単位を付して提供してもよい。例えば、笑い反応の場合は、「ａＨ（アハ）」という単位を付して、「１９５ａＨ」のように示してもよい。なお、笑い量出力部（１００７）の算出結果は、単位時間ごとに出力される。よって、単位時間を比較部が比較を行う一単位の時間と同じに設定した場合、単位時間ごとに比較部の比較結果と笑い量出力部の算出結果がでることとなる。かかる場合、それらの結果を組み合わせて「笑い−２００ａＨ」などとして出力することができる。
【００７９】
図１２（ａ）に、電位測定部（１００１）で測定した電位測定波を算出部（１００２）で周波数解析し、そして、笑い量出力部（１１０７）で算出した「笑いの大きさを示す指標」を出力する画面の一例を示す。図中左上側の「波形データ」は電位測定部で測定した電位測定波である（横軸：時間、縦軸：電圧）。そして、その下側の「周波数特性」が「波形データ」の中で色を付して識別している部分のデータを周波数解析した結果をグラフ化したものである（横軸：周波数、縦軸：強度）。また、図中右上の「ａＨ解析」におけるデジタル表示部分が笑いの大きさを示す指標を出力する部分である。
【００８０】
その他の出力例を図１２（ｂ）に示す。図１２（ｂ）は、同時に３人の被験者の笑い量を測定した際の出力例を示している。図中左側の「波形データ」と右側の「ａＨ解析」が示しているデータは図１２（ａ）で説明したものと同様である。
【００８１】
なお、前記出力例は一例であり、これらに制限されるものではない。
【００８２】
ここで、「笑い量出力部」（１００７）の前記処理は、心拍成分などのノイズを取り除いて行ってもよい。具体的には、２０〜５０Ｈｚ以下の周波数のデータを取り除くことで心拍の成分を取り除いてもよい。または、図７でも示すように、笑い反応の際に測定される電位波は、５０〜５００Ｈｚの間に強い反応がみられる。よって、当該範囲の中で任意に周波数帯域を定めて（例：「５０〜１４０Ｈｚ」、「１４０〜５００Ｈｚ」）、笑い量を測定してもよい。
<実施形態３の効果>
【００８３】
本実施形態の笑い測定方法、及び、測定装置により、被験者から検出した笑いの大きさを、被験者が理解しやすい形に変換して提供することが可能となる。
【００８４】
その結果、被験者は、測定された自己の笑いの大きさを容易に把握することができ、過去の自己のデータや、他人のデータなどと容易に比較して違いを把握することができる。
<<実施形態４>>
<実施形態４の概要>
【００８５】
本実施形態の笑い測定装置は、実施形態１または２または３を基本とし、さらに、被験者から電位を測定する電位測定部は、筺体に格納され、その筺体の側面に、被験者に密着するように装着される電極を有していることを特徴とする。
<実施形態４の機能的構成>
【００８６】
本実施形態の電位測定部は筺体に格納され、筺体の一側面に人の皮膚に密着して電位測定をするための電極を備える。図１１に本実施形態の筺体の例を示す。図１１（ａ）に示す筺体（１１０７）は、電極（１１０１）を備える面におけるその他の部分（１１０２）に、人間の皮膚に付着するような処理が施されていてもよい。例えば、皮膚に貼付するために一般的に使用されている粘着剤などを処理してもよい。このように処理することで、電位測定部を格納した筺体（１１０７）を人の皮膚に容易に付着させることができる。また、当該筺体内には、測定したデータを保存するためのメモリを備えていてもよい。かかる場合、外部機器と通信するためのインターフェイス（１１０３）を備えており、測定したデータをメモリに保存した後、積分演算部などを備える外部機器に送信できてもよい。
【００８７】
また、図１１（ｂ）に示すように、本実施形態の筺体（１１０７）は２つに分離していてもよい。そして、コード（１１０４）などにより、測定したデータを保存するためのメモリを有する小型装置（１１０５）と接続されていてもよい。このように構成することで、筺体を小型化することが可能となり、測定がしやすくなる。なお、当該筺体の電極（１１０１）を備える面におけるその他の部分（１１０２）についても、前記と同様の処理が施されていてもよい。また、測定データを保存する小型装置（１１０５）は、外部機器と通信するためのインターフェイス（１１０３）を備えていてもよい。
【００８８】
また、図１１（ｃ）に示すように、本実施形態の筺体（１１０７）はベルト（１１０６）などを備えていてもよい。かかる場合、電位測定部を有する筺体はベルト（１１０６）により被験者に固定可能であるので、電極（１１０１）を備える面におけるその他の部分（１１０２）には、前記のような粘着剤などの処理を施さなくてもよい。なお、当該筺体（１１０７）も、測定したデータを保存するためのメモリと、外部機器と通信するためのインターフェイス（１１０３）を備えていてもよい。
【００８９】
<実施形態４の効果>
【００９０】
本実施形態の笑い測定装置は、小型で利便性の高いものとなっている。その結果、研究機関などだけでなく、一般家庭などにおいても容易に使用することが可能である。また、小型な装置で測定し、その装置内にデータを保存することが可能であるので、お笑いイベント会場などにおいて一度に多くの人間を被験者として測定することも可能である。
<<「被験者の横隔膜起始部の筋あるいは横隔膜起始部が付く骨組織表面（「剣状突起」、「第７右肋骨上近傍」など）の皮膚表面電位により笑い（横隔膜の振動運動）を検出することの優位性>>
【００９１】
以下、被験者の横隔膜起始部の筋あるいは横隔膜起始部が付く骨組織表面の皮膚表面電位により笑い（横隔膜の振動運動）を検出することの優位性を表すデータを示す。なお、以下は、「被験者の横隔膜起始部の筋あるいは横隔膜起始部が付く骨組織表面」として「剣状突起」の例を示すが、その他の部位（「第７右肋骨上近傍」など）についても同様である。
【００９２】
図１４（ａ）〜（ｅ）に「剣状突起」、「腹筋」、「大頬骨筋」の３点それぞれの近傍の皮膚表面電位を測定（以下、「３点測定」という）した際の電位測定波の一例を示す（横軸が時間で、縦軸が電圧）。図１４（ａ）〜（ｅ）は、図１３に示すように、被験者の剣状突起近傍、腹筋近傍、大頬骨筋近傍の皮膚表面電位を同時に測定した際の電位測定波である。３つの測定波は、上から順に剣状突起近傍、腹筋近傍、大頬骨筋近傍の電位測定波である。この様にして、被験者の「大笑い」、「こらえ笑い１（含み笑い、無声笑い）」、「こらえ笑い２（鼻で笑う、吹き出し笑い）」、「こらえ笑い３（声に出さない笑い）」、「作り笑い」、「愛想笑い」、「から笑い（声だけ）」、「笑いなし（平常時）」の際の、前記３点の電位測定波を比較検証した。参考までに、図１４（ａ）〜（ｅ）に電位測定波の一部を示す。
【００９３】
図１４（ａ）は、被験者が「大笑い」の状態の際の電位測定波である。図１４（ｂ）は、被験者が「こらえ笑い１（含み笑い、無声笑い）」の状態の際の電位測定波である。図１４（ｃ）は、被験者が「こらえ笑い２（鼻で笑う、吹き出し笑い）」の状態の際の電位測定波である。図１４（ｄ）は、被験者が「愛想笑い」の状態の際の電位測定波である。図１４（ｅ）は、被験者が「笑いなし（平常時）」の状態の際の電位測定波である。反応の見られた部位の波形には矢印を示している。
【００９４】
図１５に、３点測定の結果を示す。表中の「＋」は、電位測定波が大きく振幅するなど、心拍以外の要因による反応が検出されたことを示す。表中の「−」は、電位測定波において、心拍以外の要因による反応が全く検出されなかったことを示す。なお、心拍による電位測定波か否かの判断は、あらかじめ心拍による電位測定波（笑いなし（平常時））を測定しておき（図１４（ｅ））、当該データと比較することで判断した。
【００９５】
図１５に示すように、剣状突起近傍の電位測定波は、「大笑い」、「こらえ笑い１（含み笑い、無声笑い）」、「こらえ笑い２（鼻で笑う、吹き出し笑い）」、「こらえ笑い（声に出さない笑い）」の時には「＋」を示し、「作り笑い」、「愛想笑い」、「から笑い（声だけ）」、「笑いなし（平常時）」の時には「−」を示している。当該結果より、剣状突起近傍の電位測定波は、「作り笑い」、「愛想笑い」、「から笑い（声だけ）」などのようないわゆる「嘘笑い」の時には反応せず、「大笑い」、「こらえ笑い１（含み笑い、無声笑い）」、「こらえ笑い２（鼻で笑う、吹き出し笑い）」、「こらえ笑い（声に出さない笑い）」などの「真の笑い」の時のみ反応する。すなわち、剣状突起近傍の電位測定波により、「真の笑い」のみを検出することができる。
【００９６】
一方、腹筋近傍、大頬骨筋近傍の電位測定波は、「こらえ笑い１、２、３」の時に反応しなかったり、「作り笑い」、「愛想笑い」、「から笑い」などの時に反応したりしていることがわかる。すなわち、腹筋近傍、大頬骨筋近傍の電位測定波では、「真の笑い」のみを的確に検出することはできない。
【図面の簡単な説明】
【００９７】
【図１】剣状突起と横隔膜と第７肋骨上の部位近傍の関係を示す図
【図２】実施形態１の笑い測定装置の機能ブロック図
【図３】電位測定部を剣状突起近傍に装着した様子を示す図
【図４】電位測定部が測定した電位測定波の一例
【図５】電位測定波を周波数解析した様子を示す図の一例
【図６】実施形態２の笑い測定装置の機能ブロック図
【図７ａ】吹き出し笑反応（成人）のリファレンスパターンの一例
【図７ｂ】吹き出し笑い反応（成人）の測定データの一例
【図７ｃ】びっくり笑い反応（成人）の測定データの一例
【図７ｄ】大笑反応（成人）の測定データの一例
【図７ｅ】泣き反応（赤ちゃん）の測定データの一例
【図７ｆ】くしゃみ反応（成人）の測定データの一例
【図７ｇ】咳反応（成人）の測定データの一例
【図７ｈ】心拍反応（成人）測定データの一例
【図８】実施形態２のハードウェア構成の一例を示した図
【図９】実施形態２の処理の流れを示すフローチャート
【図１０】実施形態３の笑い測定装置の機能ブロック図
【図１１ａ】電位測定部を格納した筺体の例を示す図１
【図１１ｂ】電位測定部を格納した筺体の例を示す図２
【図１１ｃ】電位測定部を格納した筺体の例を示す図３
【図１２ａ】算出した笑い量の出力例１
【図１２ｂ】算出した笑い量の出力例２
【図１３】３点測定時の被験者の様子を示す図
【図１４ａ】大笑反応（成人）の電位測定波の一例
【図１４ｂ】こらえ笑い１（含み笑い、無声笑い）反応（成人）の電位測定波の一例
【図１４ｃ】こらえ笑い２（鼻で笑う、吹き出し笑い）（成人）の電位測定波の一例
【図１４ｄ】愛想笑い反応（成人）の電位測定波の一例
【図１４ｅ】笑いなし（平常時）（成人）の電位測定波の一例
【図１５】３点測定の結果を示す図
【符号の説明】
【００９８】
０６０１    電位測定部
０６０２    算出部
０６０３    リファレンスパターン保持部
０６０４    マッピング部
０６０５    比較部
０６０６    比較結果出力部
【図１】
0005022940.tif 000002
【図２】
0005022940.tif 000003
【図３】
0005022940.tif 000004
【図４】
0005022940.tif 000005
【図５】
0005022940.tif 000006
【図６】
0005022940.tif 000007
【図７ａ】
0005022940.tif 000008
【図７ｂ】
0005022940.tif 000009
【図７ｃ】
0005022940.tif 000010
【図７ｄ】
0005022940.tif 000011
【図７ｅ】
0005022940.tif 000012
【図７ｆ】
0005022940.tif 000013
【図７ｇ】
0005022940.tif 000014
【図７ｈ】
0005022940.tif 000015
【図８】
0005022940.tif 000016
【図９】
0005022940.tif 000017
【図１０】
0005022940.tif 000018
【図１１ａ】
0005022940.tif 000019
【図１１ｂ】
0005022940.tif 000020
【図１１ｃ】
0005022940.tif 000021
【図１２ａ】
0005022940.tif 000022
【図１２ｂ】
0005022940.tif 000023
【図１３】
0005022940.tif 000024
【図１４ａ】
0005022940.tif 000025
【図１４ｂ】
0005022940.tif 000026
【図１４ｃ】
0005022940.tif 000027
【図１４ｄ】
0005022940.tif 000028
【図１４ｅ】
0005022940.tif 000029
【図１５】
0005022940.tif 000030